(57)【要約】【課題】  遊技者が遊技機評価に利用し得る新たな項目の遊技情報を提示する。【解決手段】  本発明では、遊技媒体の貸出しのための投資額の情報を集計処理した投資額の分布情報を管理する。また、単位投資額当たりの遊技の得失情報を管理する。そして、所望する遊技情報の要求の中に、投資額の分布情報や単位投資額当たりの遊技の得失情報が含まれていれば、管理している中の該当するものを抽出し、適宜、加工を施して要求元に返信し、遊技者に対して出力させる。【選択図】      図１
2006271456.tif 000002
【特許請求の範囲】
【請求項１】
遊技媒体の貸出しのための投資額の情報を集計処理した投資額の分布情報を管理する投資額分布情報管理手段と、
入力操作に応じて、投資額の分布情報を要求する投資額分布情報要求手段と、
上記投資額分布情報管理手段が管理する投資額の分布情報から、要求に合致するものを抽出し、又は、要求に合致するものを抽出、加工して返信する投資額分布情報抽出手段と、
返信された投資額分布情報を出力する投資額分布情報出力手段と
を有することを特徴とする遊技システム。
【請求項２】
上記投資額分布情報管理手段及び上記投資額分布情報抽出手段が第１の装置に搭載され、
上記投資額分布情報要求手段及び上記投資額分布情報出力手段が、上記第１の装置とネットワークを介して接続される、複数の第２の装置に搭載されている
ことを特徴とする請求項１に記載の遊技システム。
【請求項３】
上記投資額の情報は、遊技媒体の貸出しのために投入された紙幣の金種であることを特徴とする請求項１又は２に記載の遊技システム。
【請求項４】
単位投資額当たりの遊技の得失情報を管理する得失／単位投資額情報管理手段と、
入力操作に応じて、単位投資額当たりの遊技の得失情報を要求する得失／単位投資額情報要求手段と、
上記得失／単位投資額情報管理手段が管理する単位投資額当たりの遊技の得失情報から、要求に合致するものを抽出し、又は、要求に合致するものを抽出、加工して返信する得失／単位投資額情報抽出手段と、
返信された単位投資額当たりの遊技の得失情報を出力する得失／単位投資額情報出力手段と
を有することを特徴とする遊技システム。
【請求項５】
上記得失／単位投資額情報管理手段及び上記得失／単位投資額情報抽出手段が第１の装置に搭載され、
上記得失／単位投資額情報要求手段及び上記得失／単位投資額情報出力手段が、上記第１の装置とネットワークを介して接続される、複数の第２の装置に搭載されている
ことを特徴とする請求項４に記載の遊技システム。
【請求項６】
遊技場内に設置された複数の遊技関連装置とネットワークを通じて接続し、遊技場における各遊技機の状況及び情報を管理する遊技場管理装置において、
上記遊技関連装置から与えられた遊技媒体の貸出しのための投資額の情報を集計処理した分布情報を管理する投資額分布情報管理手段と、
上記遊技関連装置からの投資額の分布情報の要求に応じ、上記投資額分布情報管理手段が管理する投資額の分布情報から、要求に合致するものを抽出し、又は、要求に合致するものを抽出、加工して返信する投資額分布情報抽出手段と
を有することを特徴とする遊技場管理装置。
【請求項７】
遊技場における各遊技機の状況及び情報を管理する遊技場管理装置に対してネットワークを通じて接続されている、遊技を実行する又は遊技の実行に必要な媒体、物体若しくは情報を提供する遊技場内に設置された遊技関連装置において、
入力操作に応じて、投資額の分布情報を上記遊技場管理装置に要求する投資額分布情報要求手段と、
上記遊技場管理装置が上記要求に応じて返信した投資額分布情報を出力する投資額分布情報出力手段と
を有することを特徴とする遊技関連装置。
【請求項８】
遊技場内に設置された複数の遊技関連装置とネットワークを通じて接続し、遊技場における各遊技機の状況及び情報を管理する遊技場管理装置において、
単位投資額当たりの遊技の得失情報を管理する得失／単位投資額情報管理手段と、
上記遊技関連装置からの単位投資額当たりの遊技の得失情報の要求に応じ、上記得失／単位投資額情報管理手段が管理する単位投資額当たりの遊技の得失情報から、要求に合致するものを抽出し、又は、要求に合致するものを抽出、加工して返信する得失／単位投資額情報抽出手段と
を有することを特徴とする遊技場管理装置。
【請求項９】
遊技場における各遊技機の状況及び情報を管理する遊技場管理装置に対してネットワークを通じて接続されている、遊技を実行する又は遊技の実行に必要な媒体、物体若しくは情報を提供する遊技場内に設置された遊技関連装置において、
入力操作に応じて、単位投資額当たりの遊技の得失情報を上記遊技場管理装置に要求する得失／単位投資額情報要求手段と、
上記遊技場管理装置が上記要求に応じて返信した単位投資額当たりの遊技の得失情報を出力する得失／単位投資額情報出力手段と
を有することを特徴とする遊技関連装置。
【発明の詳細な説明】
【技術分野】
【０００１】
本発明は遊技システム、遊技関連装置及び遊技場管理装置に関し、例えば、紙幣によって遊技媒体の貸出しを行うサンドが併設されているパチンコ機やパチスロ機を有する遊技場のシステムや装置に適用し得るものである。
【背景技術】
【０００２】
遊技者が知りたい遊技機の遊技情報を取得させる遊技システムは種々提案されている。中には、視覚に訴える表示方法も採用しているもののある。
【０００３】
特許文献１には、ある遊技機についての稼動情報の時間変化をグラフ化して表示することが記載されていている。また、特許文献２には、複数の遊技情報を同一の画面でグラフ化して表示することが記載されている。
【特許文献１】特開２００２−１１９７４９号公報
【特許文献２】特開２００４−０９７５１３号公報
【発明の開示】
【発明が解決しようとする課題】
【０００４】
視覚に訴える表示は、特徴的なことや変化を容易に理解できて好ましいものである。しかしながら、視覚に訴える表示方法を採用していても表示項目が遊技者に興味を持たれないものであれば、表示方法の最適化はかすれてしまう。表示項目としては、現状、当選回数や出球数や投資金額やゲーム回数などがある。
【０００５】
遊技者の中には、現状の表示項目で不満を感じている者も存在する。遊技者が、遊技機の遊技情報を欲する場合の多くは、その台が稼ぎの大きい効率的な台か否かを判断するためである。現状の表示項目でもこのような判断の材料にできる。しかしながら、当選回数が多くても稼ぎが大きいとは限らず、出球が多くてもそれに要した時間が長ければ効率的とはいい難く、遊技者が、表示内容を分析する負担は大きい。また、遊技者によって重みを置く表示項目も異なる。
【０００６】
このような観点からは、稼ぎの大きい効率的な台か否かを判断できる更なる表示項目があれば、遊技者の中にはそれを判断に利用する者も生じ、また、分析での新たなパラメータとして追加して利用することもできる。一方、表示項目を増やしてもそれが遊技者に利用されないのであれば、システムの負荷増大が無駄になる。
【０００７】
本発明は、以上の点を考慮してなされたものであり、遊技者が遊技機評価に利用し得る新たな項目の遊技情報を提示できる遊技システム、遊技関連装置及び遊技場管理装置を提供しようとしたものである。
【課題を解決するための手段】
【０００８】
かかる課題を解決するために、第１の本発明の遊技システムは、（１）遊技媒体の貸出しのための投資額の情報を集計処理した投資額の分布情報を管理する投資額分布情報管理手段と、（２）入力操作に応じて、投資額の分布情報を要求する投資額分布情報要求手段と、（３）上記投資額分布情報管理手段が管理する投資額の分布情報から、要求に合致するものを抽出し、又は、要求に合致するものを抽出、加工して返信する投資額分布情報抽出手段と、（４）返信された投資額分布情報を出力する投資額分布情報出力手段とを有することを特徴とする。
【０００９】
第２の本発明の遊技システムは、（１）単位投資額当たりの遊技の得失情報を管理する得失／単位投資額情報管理手段と、（２）入力操作に応じて、単位投資額当たりの遊技の得失情報を要求する得失／単位投資額情報要求手段と、（３）上記得失／単位投資額情報管理手段が管理する単位投資額当たりの遊技の得失情報から、要求に合致するものを抽出し、又は、要求に合致するものを抽出、加工して返信する得失／単位投資額情報抽出手段と、（４）返信された単位投資額当たりの遊技の得失情報を出力する得失／単位投資額情報出力手段とを有することを特徴とする。
【００１０】
第３の本発明の遊技場管理装置は、遊技場内に設置された複数の遊技関連装置とネットワークを通じて接続し、遊技場における各遊技機の状況及び情報を管理するものであって、上記遊技関連装置から与えられた遊技媒体の貸出しのための投資額の情報を集計処理した分布情報を管理する投資額分布情報管理手段と、上記遊技関連装置からの投資額の分布情報の要求に応じ、上記投資額分布情報管理手段が管理する投資額の分布情報から、要求に合致するものを抽出し、又は、要求に合致するものを抽出、加工して返信する投資額分布情報抽出手段とを有することを特徴とする。
【００１１】
第４の本発明の遊技関連装置は、遊技場における各遊技機の状況及び情報を管理する遊技場管理装置に対してネットワークを通じて接続されている、遊技を実行する又は遊技の実行に必要な媒体、物体若しくは情報を提供する遊技場内に設置されたものであって、入力操作に応じて、投資額の分布情報を上記遊技場管理装置に要求する投資額分布情報要求手段と、上記遊技場管理装置が上記要求に応じて返信した投資額分布情報を出力する投資額分布情報出力手段とを有することを特徴とする。
【００１２】
第５の本発明の遊技場管理装置は、遊技場内に設置された複数の遊技関連装置とネットワークを通じて接続し、遊技場における各遊技機の状況及び情報を管理するものであって、単位投資額当たりの遊技の得失情報を管理する得失／単位投資額情報管理手段と、上記遊技関連装置からの単位投資額当たりの遊技の得失情報の要求に応じ、上記得失／単位投資額情報管理手段が管理する単位投資額当たりの遊技の得失情報から、要求に合致するものを抽出し、又は、要求に合致するものを抽出、加工して返信する得失／単位投資額情報抽出手段とを有することを特徴とする。
【００１３】
第６の本発明の遊技関連装置は、遊技場における各遊技機の状況及び情報を管理する遊技場管理装置に対してネットワークを通じて接続されている、遊技を実行する又は遊技の実行に必要な媒体、物体若しくは情報を提供する遊技場内に設置されたものであって、入力操作に応じて、単位投資額当たりの遊技の得失情報を上記遊技場管理装置に要求する得失／単位投資額情報要求手段と、上記遊技場管理装置が上記要求に応じて返信した単位投資額当たりの遊技の得失情報を出力する得失／単位投資額情報出力手段とを有することを特徴とする。
【発明の効果】
【００１４】
本発明の遊技システム、遊技関連装置及び遊技場管理装置によれば、投資額の分布情報、若しくは、単位投資額当たりの遊技の得失情報を所望する遊技者に提示可能としたので、遊技者が遊技する遊技機を決定する際にこれら情報を利用することができるようになる。
【発明を実施するための最良の形態】
【００１５】
（Ａ）第１の実施形態
以下、本発明の遊技システム、遊技関連装置及び遊技場管理装置の第１の実施形態について説明する。
【００１６】
（Ａ−１）第１の実施形態の構成
（Ａ−１−１）全体構成
図１は、第１の実施形態の遊技システムの全体構成を示す説明図である。
【００１７】
図１において、遊技システム１は、遊技場管理装置２と、Ｎ（Ｎは自然数）台の遊技機３（３−１〜３−ｎ）と、Ｎ台の遊技媒体台間貸出機４（４−１〜４−ｎ）が、ネットワーク５に接続されて構成される。
【００１８】
ネットワーク５は、専用網、公衆網のいずれの通信網でも良く、また、有線網、無線網のいずれでも良く、さらに、網トポロジーはメッシュ状、バス状、リング状、スター状及びこれらの組合せのいずれであっても良い。さらにまた、この第１の実施形態の場合、ネットワーク５を介して実行する通信方式や変調方式も限定されないものである。
【００１９】
遊技場管理装置２は、例えば、パーソナルコンピュータやサーバ等の情報処理装置が該当する。遊技場管理装置２は、各遊技機３−１〜３−Ｎから遊技データなどを収集すると共に、各遊技媒体台間貸出機４−１〜４−Ｎから遊技媒体の供給データなどを収集するものである。また、遊技場管理装置２は、収集したデータそのものを含んだり、収集したデータを加工して生成したりした遊技情報を管理するものである。さらに、遊技場管理装置２は、遊技媒体台間貸出機４からの要求に応じて、遊技媒体台間貸出機４に要求された遊技情報を与えるものである。
【００２０】
遊技機３は、パチンコ機、スロットマシン、パチスロ機等の遊技場に設置されるものであれば、いずれも適用可能であるが、以下では、遊技機３がパチスロ機であるとして説明する。遊技機（パチスロ機）３は、例えば、右側に隣接する遊技媒体台間貸出機４から遊技媒体（メダル）の供給を受けて遊技を進行するものであり、遊技結果などの遊技データを遊技場管理装置２に送信する機能を有するものである。
【００２１】
遊技媒体台間貸出機（いわゆるサンド）４は、遊技関連装置の一例である。遊技関連装置は、遊技媒体台間貸出機の他に、例えば、各遊技機の上部に設けられた島ランプや、両替機、プリペードカード購入機、遊技情報専用表示装置など遊技場内に設けられたものであって、少なくとも通信部、表示部及び操作部などを搭載する遊技に関連する装置であり、遊技関連装置は遊技機を含む概念である。
【００２２】
遊技媒体台間貸出機４は、例えば、遊技機３の右側に隣接して配置され、遊技者に対して遊技媒体を貸し出すものであり、遊技場管理装置２との通信機能や、受信情報の出力機能を備えるものである。なお、遊技媒体の購入方式として、例えば、現金方式、プリペードカード方式（前払い方式）、貯玉利用方式（例えば、会員に認めている）など種々の方式があるが、この第１の実施形態の遊技媒体台間貸出機４は、現金方式に対応できるものとして説明する。
【００２３】
なお、図２は、遊技機３と遊技媒体台間貸出機４とが交互に設置されている様子を示している。図２は、遊技機３の右側に遊技媒体台間貸出機４が隣接して設けられ、遊技機３と遊技媒体台間貸出機４とが１対１に対応している例である。
【００２４】
以下では、遊技場管理装置２及び遊技媒体台間貸出機４の詳細構成を説明する。なお、遊技機３は、既存のものと同様であるので、その説明は省略する。
【００２５】
（Ａ−１−２）遊技場管理装置２の構成
図３は、第１の実施形態の遊技場管理装置２の機能的な構成を示すブロック図である。
【００２６】
遊技場管理装置２は、上述したように、例えば、パーソナルコンピュータやサーバ等の情報処理装置が該当するが、第１の実施形態の特徴との関係から言えば、大きくは、通信部１１、制御部１２、情報保存部１３を有する。なお、遊技場管理者などとのマンマシンインターフェースのための入力部や表示部や印刷部等を有するが、図３ではこれらを省略している。
【００２７】
通信部１１は、予め定められている通信方式に従って、ネットワーク５を介した当該遊技場管理装置２と遊技機３との間の情報授受や、ネットワーク５を介した当該遊技場管理装置２と遊技媒体台間貸出機４との間の情報授受などを実行するものである。
【００２８】
制御部１２は、例えば、ＣＰＵ、ＲＯＭ、ＲＡＭ（ＥＥＰＲＯＭなどの不揮発性の書換可能メモリを含む概念とする）等により構成されており（例えば、マイクロコンピュータ）、当該遊技場管理装置２における全体の制御機能を司っているものである。例えば、ＣＰＵが、ＲＯＭに格納されている処理プログラム（後述する動作の項参照）を、ＲＯＭに格納されている固定データやＲＡＭに格納されてテンポラリデータを用い、ＲＡＭをワーキングメモリとして用いて実行することにより、遊技場管理装置２の各種機能を実現する。
【００２９】
制御部１２は、第１の実施形態の特徴との関係から言えば、機能的に、データ収集機能部１２ａ、情報生成機能部１２ｂ、情報検索機能部１２ｃを有する。
【００３０】
データ収集機能部１２ａは、ネットワーク５を通じて、遊技機３や遊技媒体台間貸出機４のデータを収集する機能である。
【００３１】
情報生成機能部１２ｂは、データ収集機能部１２ａが遊技機３や遊技媒体台間貸出機４からデータを収集したときに、情報保存部１３の遊技情報保存部１３ａに保存されている遊技情報に追加したり更新したりする遊技情報（後述する図４〜図６参照）を生成して遊技情報保存部１３ａに保存させるものである。
【００３２】
情報検索機能部１２ｃは、ネットワーク５を介した、遊技媒体台間貸出機４から与えられた遊技情報の要求に基づき、要求に応じた遊技情報を遊技情報保存部１３ａから検索し、その検索した遊技情報そのもの又はそれを加工した遊技情報を、通信部１１を介して、要求元の遊技媒体台間貸出機４に返信するものである。
【００３３】
情報保存部１３は、例えば、ハードディスクなどの大容量記憶装置及びそのアクセス構成が該当する。なお、情報保存部１３が、当該遊技場管理装置２の別装置として設けられており、当該遊技場管理装置２と通信により情報を授受するものであっても良い。情報保存部１３は、機能的には、遊技情報保存部１３ａを少なくとも有する。その他、会員遊技者の情報を保存する保存部や、売り上げなどの経理面の情報を保存する保存部などがあっても良い。
【００３４】
遊技情報保存部１３ａに保存される遊技機３の遊技情報は、大きくは、例えば、図４に示すような履歴情報ＰＬＹ１−１及びＰＬＹ１−２と、図５に示すような現状情報ＰＬＹ２と、図６に示すようなスランプグラフ情報ＰＬＹ３とに分かれている。
【００３５】
履歴情報は、遊技に関係する第１の履歴情報ＰＬＹ１−１と、遊技媒体の貸出のための投資に関係する第２の履歴情報ＰＬＹ１−２とがある。
【００３６】
第１の履歴情報ＰＬＹ１−１は、図４（Ａ）に示すように、各遊技機３の台番号を識別情報とし、各遊技機３の機種名、「本日」、「前日」、「前々日」の３日間（履歴日数はこれに限定されない）での、メダル払出数、メダル投入数、差メダル数、総スタート回数、大当り回数、確変回数、時短回数、大当り確率、大当り間スタート回数等を管理項目とする。例えば、「本日」分については、現在時刻までの情報となっており、１ゲーム毎に更新する。
【００３７】
第２の履歴情報ＰＬＹ１−２は、図４（Ｂ）に示すように、各遊技機３の台番号を識別情報とし、各遊技機３の機種名、「本日」、「前日」、「前々日」の３日間（履歴日数はこれに限定されない）での、総投資額、金種別枚数（第１の実施形態での投資額の分布情報）、単位金額（例えば１００円）当たりの大当り回数、単位金額当たりの差メダル数等を管理項目とする。例えば、「本日」分については、現在時刻までの情報となっており、総投資額、金種別枚数については紙幣の投入毎（又は投資毎）に更新し、単位金額当たりの大当り回数や差メダル数については１ゲーム毎に更新する。
【００３８】
なお、単位金額当たりの大当り回数や差メダル数については、情報として保存させず、必要時に、総投資額と、大当り回数、差メダル数とから演算によって算出するようにしても良い。特許請求の範囲における「単位投資額当たりの遊技の得失情報を管理する」には、第２の履歴情報ＰＬＹ１−２のように常時保存しておく場合だけでなく、上述のように演算で算出する場合を含むものである。
【００３９】
現状情報ＰＬＹ２は、図５に示すように、各遊技機３の台番号を識別情報とし、各遊技機３の機種名、遊技者、遊技中（か否か）、現在のゲーム数、ゲーム開始時間、ゲーム終了時間、ゲーム開始時間以降の上述と同様な履歴情報等を管理項目としている。ここで、「遊技者」の項目に記述される遊技者は、例えば、遊技場の会員として登録されている遊技者の情報であり、氏名などで記述されても良く、また、会員ＩＤ（などのコード）で記述されても良い。また、「遊技中」ではない遊技機３については、直前の遊技中における管理項目の最終的な値が書き込まれている。
【００４０】
スランプグラフ情報ＰＬＹ３も、各遊技機３の台番号を識別情報として管理されているものであり、メダル払出数からメダル投入数を差し引いた差メダル数の、営業開示時刻から現在までの５分刻み（他の時間の刻みであっても良い）の時系列データとなっており、図６は、ある遊技機３について表示イメージで記載したものである。なお、他の項目のスランプグラフ情報（例えば単位金額当たりの差メダル数）を用意するようにしても良い。
【００４１】
なお、ある遊技機３の台番号が「ＹＹＹＹ−１」であれば、その遊技機３に対応する遊技媒体台間貸出機４の識別番号が「ＹＹＹＹ−２」であるように、１組の遊技機３及び遊技媒体台間貸出機４の番号は、一方の番号が分かれば他方の番号が分かるように割り振られている。若しくは、遊技場管理装置２から見れば、遊技機３及び遊技媒体台間貸出機４が恰も１個の装置に見えるようになされている。これにより、上述のように、遊技機３及び遊技媒体台間貸出機４の双方のデータを必要とする遊技情報を管理することができる。
【００４２】
なお、後述する動作の項では説明を省略するが、ある遊技機３での１ゲームが終了する毎に、遊技情報保存部１３ａにおけるゲーム毎に変更を要する情報が更新される。履歴情報などの更新方法は、既存の方法と同様である。また、遊技媒体台間貸出機４への紙幣の挿入や遊技媒体台間貸出機４からの遊技媒体の貸し出しなどによっても、遊技情報保存部１３ａの所定の情報が適宜更新される。
【００４３】
（Ａ−１−３）遊技媒体台間貸出機４の構成
図７は、遊技媒体台間貸出機４の正面図である。図７において、第１の実施形態の遊技媒体台間貸出機４の正面には、紙幣出入口３１１、貸出可能度数表示部３１２、貸出操作部３１３、硬貨挿入口３１４、硬貨払出口３１５、液晶表示部３２、表示操作部３３、遊技媒体供給部３４などが設けられている。なお、会員カードの出入口などの会員遊技者を特定するための構成などが設けられていても良い。
【００４４】
紙幣出入口３１１は、遊技者により挿入された紙幣を取り入れたり、排出したりするものである。なお、挿入された紙幣は、図示しない搬送機構によって、後述する金銭処理部４３の位置に与えられる。
【００４５】
貸出可能度数表示部３１２は、例えば、液晶表示部や７セグメント等でなり、遊技媒体の貸出可能な値（例えば金額）を表示するものである。
【００４６】
貸出操作部３１３は、遊技者が、遊技媒体（メダル）の貸出しを指示するようなキーが配列されている。「貸出し」キーや「返却」キーなどが設けられている。
【００４７】
硬貨挿入口３１４は、遊技者により挿入された硬貨を取り入れるものである。なお、挿入された紙幣は、図示しない搬送機構によって、後述する金銭処理部４３の位置に与えられる。
【００４８】
硬貨払出口３１５は受け部を有する開口であり、「返却」キーが操作された際に返却する金額が硬貨の払出を必要なときに、硬貨が払い出されるものである。
【００４９】
液晶表示部３２は、操作ガイダンスメッセージや選択用アイコンや遊技情報などを表示したりするものである。表示操作部３３は、いわゆるタッチパネルが該当し、液晶表示部３２に表示された操作ガイダンスメッセージや選択用アイコンに対応した入力情報を取り込むものである。表示操作部３３を介して入力する情報としては、例えば、遊技情報の表示要求があり、この要求に応じて、遊技場管理装置２から与えられた遊技情報が液晶表示部３２によって表示される。
【００５０】
なお、液晶表示部３２は、この実施形態のように遊技情報の表示に用いるだけでなく、テレビ放送の映像や、遊技場からの報知情報（例えばイベント情報）を表示するものとして併用するようにしても良い。また、表示操作部３３には、「店員呼び出し」キーなどを設けても良い。
【００５１】
なお、表示操作部３３は、液晶表示部３２と別構成のものであっても良い（表示操作部３３に該当するキー操作部が液晶表示部３２と異なる位置に配置されたものであっても良い）。また、近距離通信機能を遊技媒体台間貸出機４に持たせ、近距離通信機能を有する携帯電話機等の近距離無線通信装置を、表示操作部３３として用いるようにしても良く、さらには、液晶表示部３２の機能をも、上述の近距離無線通信装置に持たせるようにしても良い。
【００５２】
遊技媒体供給部３４は、遊技者に貸し出す遊技媒体（メダル）を対応する遊技機３に供給するための供給手段であり、例えば、ノズル等で構成される。
【００５３】
図８は、遊技媒体台間貸出機４の内部構成を示すブロック図である。図８において、遊技媒体台間貸出機４は、図７に示した構成に加え、制御部４１、通信部４２、金銭処理部４３、供給制御部４４、メダル払い出し機４５、表示制御部４６、入力制御部４７、硬貨払い出し機４８などを有する。
【００５４】
制御部４１は、例えば、ＣＰＵ、ＲＯＭ、ＲＡＭ（ＥＥＰＲＯＭなどの不揮発性の書換可能メモリを含む概念とする）等により構成されており（例えば、マイクロコンピュータ）、当該遊技媒体台間貸出機４における全体の制御機能を司っているものである。
【００５５】
制御部４１は、貸出可能度数が許容するならば（０でなければ）、遊技者等が要求した数の遊技媒体を、対応する遊技機３に供給する動作を制御するものである。また、制御部４１は、通信部４２を介し、遊技場管理装置２と通信可能であり、入力制御部４７を介して表示操作部３３から与えられた、遊技者による所望の遊技情報の要求を受け取り、その要求に係る遊技情報を遊技場管理装置２から取り出して、表示制御部４６に与えて液晶表示部３２の表示させるものである。
【００５６】
通信部４２は、予め定められている通信方式に従って、ネットワーク５を介した当該遊技媒体台間貸出機４と遊技場管理装置２との間の情報授受を実行するものである。図８では、通信部４２が制御部４１に直結されているように示したが、これに代え、システムバスを介して、制御部４１に接続されるようにしても良い。
【００５７】
入力制御部４７は、遊技者等の操作による入力データを表示操作部３３から受け取り、その受け取った入力データを制御部４１に与えるものである。また、表示制御部４６は、液晶表示部３２に接続するものであり、制御部４１の制御下で、制御部４１から与えられた遊技情報などを液晶表示部３２に表示させるものである。
【００５８】
金銭処理部４３は、紙幣出入口（紙幣搬送機構を含む）３１１、貸出可能度数表示部３１２、貸出操作部３１３、硬貨挿入口３１４、硬貨払出口３１５と接続している。金銭処理部４３は、紙幣出入口３１１から搬送されてきた紙幣や硬貨挿入口３１４から搬送されてきた硬貨の金種及び真偽を判別し、真正な紙幣や硬貨が挿入された場合には、制御部４１の制御下で、その金額分だけ、貸出可能度数表示部３１２の表示値を更新させるものである。また、金銭処理部４３は、制御部４１の制御下で、貸出操作部３１３における「貸出し」キーが操作されたときには、貸出単位数のメダルを払い出すよう供給制御部４４に指示し、かつ、貸出可能度数表示部３１２の表示値を減少更新させるものである。さらに、また、金銭処理部４３は、制御部４１の制御下で、貸出操作部３１３における「返却」キーが操作されたときには、そのときの貸出可能度数表示部３１２の表示値に係る金額の返却を実行させるものである。返却金額が、紙幣だけで返却できる場合には、紙幣出入口３１１から返却金額分の紙幣を排出させる。返却金額が、紙幣及び硬貨でしか返却できない場合には、紙幣出入口３１１から紙幣を排出させると共に、硬貨払い出し機４８を起動して硬貨払出口３１５から硬貨を排出させる。返却金額が、硬貨でしか返却できない場合には、硬貨払い出し機４８を起動して硬貨払出口３１５から硬貨を排出させる。
【００５９】
なお、紙幣や硬貨が挿入されたときや、金額を返却したときなどには、制御部４１が通信部４２を介して、遊技場管理装置２にその旨の情報を与え、遊技場管理装置２における上述した第２の履歴情報ＰＬＹ１−２の所定項目を更新させる。
【００６０】
なお、図８とは異なり、紙幣出入口３１１、貸出可能度数表示部３１２、貸出操作部３１３、硬貨挿入口３１４、硬貨払出口３１５を、システムバスに接続するようにしても良く、これらの制御を、制御部４１が実行するようにしても良い。
【００６１】
供給制御部４４は、金銭処理部４３からの指示を受けて、貸出度数に応じた数のメダルを払い出すように、メダル払出機４５を動作させるものである。
【００６２】
メダル払出機４５は、供給制御部４４の制御により所定枚数のメダルを払い出し、遊技媒体供給部３４を通じて、対応する遊技機３へ供給するものである。
【００６３】
硬貨払い出し機４８は、金銭処理部４３からの制御を受けて、所定金額分の硬貨を硬貨払出口３１５に払い出すものである。
【００６４】
（Ａ−２）第１の実施形態の動作
次に、第１の実施形態の遊技システムによる遊技情報の読出し動作を説明する。
【００６５】
図９は、第１の実施形態の遊技システムにおける遊技情報の読出し動作を示すシーケンス図である。
【００６６】
遊技者は、遊技媒体台間貸出機４に対して金銭を投入して、遊技媒体（メダル）の貸出しを受けることができる。この貸出し動作は、既存の動作と同様であるので、その説明は省略する。この投入された金銭の情報は、遊技場管理装置２に通知され、第２の履歴情報ＰＬＹ１−２における金種別枚数が更新される。この第１の実施形態の場合、第２の履歴情報ＰＬＹ１−２における総投資額は、入金されたが遊技媒体の貸出しに利用されずに返却された金額を含むもの、又は、入金されたが遊技媒体の貸出しに利用されずに返却された金額を除いたもののいずれであっても良い。以下では、前者であるとして説明する。従って、投入された金銭の情報が与えられた遊技場管理装置２は、総投資額も更新する。
【００６７】
遊技者は、遊技情報を液晶表示部３２に表示させることができる。例えば、液晶表示部３２に表示される待機画面では「遊技情報表示」ボタンアイコンも含まれており、このボタンアイコンが操作されたときに、遊技媒体台間貸出機４（の制御部４１）は、遊技情報の表示動作を起動する。
【００６８】
遊技媒体台間貸出機４はまず、遊技情報の表示対象の遊技機３を指定させ、また、表示させる遊技情報の項目なども指定させる（Ｓ１００、Ｓ１０１）。
【００６９】
ここで、遊技情報の項目などの指定では、まず、図１０（Ａ）に示すような選択肢として「履歴情報（図４参照）」、「現状情報（図５参照）」、「スランプグラフ情報（図６参照）」を含む表示画面から３種類のいずれかを選択させ、「履歴情報（図４参照）」が選択された場合には、さらに、図１０（Ｂ）に示すような選択肢として「第１の履歴情報（図４（Ａ）参照）」又は「第２の履歴情報（図４（Ｂ）参照）」を含む表示画面から一方を選択させる。なお、さらに、下位階層の表示項目を個別に指定できるようにしても良い。
【００７０】
遊技媒体台間貸出機４は、指定された要求先遊技機や表示させる遊技情報の種類を含む遊技情報要求を遊技場管理装置２に送信する（Ｓ１０２）。
【００７１】
遊技情報要求が与えられた遊技場管理装置２は、遊技情報保存部１３ａから、要求された遊技情報を取り出し、遊技媒体台間貸出機４に返信する（Ｓ１０３、Ｓ１０４）。遊技情報保存部１３ａから取り出した遊技情報、若しくはそれを加工した遊技情報を返信する。例えば、第２の履歴情報（図４（Ｂ）参照）が要求された際には、第２の履歴情報における金種別枚数については、図１１に示すようなグラフ表示への加工処理を行う。
【００７２】
遊技媒体台間貸出機４は、遊技場管理装置２から、遊技情報の要求に対する返信が与えられると、その返信された遊技情報を表示する（Ｓ１０５）。
【００７３】
（Ａ−３）第１の実施形態の効果
上記第１の実施形態によれば、遊技媒体の貸出のための投資に関係する履歴情報（第２の履歴情報）をも遊技情報の一種として表示可能としたので、従来以上に、稼ぐことができる遊技機の判断材料を提示しており、多くの遊技者が遊技を実行する遊技機を選択し易くなる。
【００７４】
例えば、金種別枚数で高額の金種が多い台（遊技機）は、多くの遊技者がその台は稼ぐことができると判断しており、そのため、初期投資を大きくしていると推測できる。上記説明とは異なるが、遊技媒体台間貸出機４が投入された金銭の全額を直ちに遊技媒体の貸出しに用いるものである場合には（変形実施形態の１個である）、金種別枚数は、各遊技者のその台への入れ込みぐらいを表している。
【００７５】
また例えば、単位金額（例えば１００円）当たりの大当り回数や差メダル数等の単位投資額当たりの得失情報は、稼ぎの効率を表していると見ることができ、遊技者は台の決定時に有効に利用するであろう。
【００７６】
（Ｂ）第２の実施形態
次に、本発明の遊技システム、遊技関連装置及び遊技場管理装置の第２の実施形態について説明する。以下では、第１の実施形態との相違点を中心に、第２の実施形態を説明する。
【００７７】
第１の実施形態の遊技媒体台間貸出機４は金銭（現金）を取り扱うものであったが、この第２の実施形態の遊技媒体台間貸出機４は金銭（現金）を取り扱わず、プリペードカードや会員カードによって遊技媒体の貸出しを行うものである。
【００７８】
図１２は、第２の実施形態の遊技媒体台間貸出機４の構成を示すブロック図であり、第１の実施形態に係る図８との同一、対応部分には同一符号を付して示している。
【００７９】
第２の実施形態の遊技媒体台間貸出機４は、第１の実施形態の紙幣出入口３１１、貸出可能度数表示部３１２、貸出操作部３１３、硬貨挿入口３１４、硬貨払出口３１５及び金銭処理部４３に代え、カード出入口５１１、カード残高表示部５１２、貸出操作部５１３及びカードリーダライタ６３が設けられており、また、第２の実施形態の遊技媒体台間貸出機４には、硬貨払い出し機４８が設けられていない。
【００８０】
カード出入口５１１は、遊技者により挿入されたプリペードカードや会員カードを取り入れたり、排出したりするものである。なお、挿入されたプリペードカードや会員カードは、図示しないカード搬送機構によって、後述するカードリーダライタ６３の位置に与えられる。
【００８１】
カード残高表示部５１２は、挿入されたプリペードカードの残高度数など、遊技媒体の貸出可能な値を表示するものである。プリペードカードの残高度数は、プリペードカードそのものに記録されているものでも良く、プリペードカードにはカードＩＤだけが記録されており、そのカードＩＤを遊技場管理装置２に与えて遊技場管理装置２が管理している残高度数を取り出すものであっても良い。また、会員カードをプリペードカードと同様に扱うものであっても良い。また、会員に対しては、貯玉数（貯コイン数）を残高度数と同様に扱うようにしているものであっても良い。
【００８２】
貸出操作部５１３は、遊技者が、遊技媒体（メダル）の貸出しを指示するようなキーが配列されている。「貸出し」キーや「カード取出し」キーなどが設けられている。
【００８３】
カードリーダライタ６３は、カード出入口（カード搬送機構を含む）５１１、カード残高表示部５１２、貸出操作部５１３と接続している。カードリーダライタ６３は、カード出入口５１１から挿入され所定位置に搬送されたプリペードカードや会員カードに格納されているデータ（例えば金額データ等）を読み取り、制御部４１の制御下で、その読み取ったデータに基づいたカード残高度数をカード残高表示部５１２に表示させるものである。また、カードリーダライタ６３は、貸出操作部５１３の「貸出し」キーの操作に応じ、制御部４１の制御下で、所定数の遊技媒体（メダル）を払い出すよう供給制御部４４に指示すると共に、カードに係る残高度数を更新させ、その更新後のカード残高度数をカード残高表示部３１２に表示させるものである。なお、カードリーダライタ６３は、制御部４１の制御下で、残高データが「０」になると、カード残高表示部５１２に残高度数「０」を表示し、カードを排出させるものである（プリペードカードの場合、自動回収するようにしても良い）。
【００８４】
なお、図１２とは異なり、カード出入口（カード搬送機構を含む）５１１、カード残高表示部５１２及び貸出操作部５１３を、システムバスに接続するようにしても良く、これらの制御を、制御部４１が実行するようにしても良い。
【００８５】
第２の実施形態の場合、遊技媒体（メダル）の貸出しにカードを利用しているため、投入金銭に係る金種別枚数を第２の履歴情報ＰＬＹ１−２で管理できない。そのため、金種別枚数に代え、１回の投資額の分布を第２の履歴情報ＰＬＹ１−２で管理することとした。
【００８６】
図１３は、第２の実施形態の遊技媒体台間貸出機４の制御部４１が実行する、１回の投資額を把握するための処理を示すフローチャートである。なお、制御部４１は、図１３の処理中にも、遊技媒体の貸出制御などを行っているが、説明を簡単にするため、図１３は、１回の投資額の把握面から記載している。
【００８７】
制御部４１は、待機状態において「貸出し」キーが操作されると、図１３に示す処理を開始し、まず、貸出可能残高が０か否かを判別する（Ｓ２００）。０であれば、液晶表示部３２に貸し出せない旨のエラー表示を行い、その後、所定時間の経過を待って待機状態に復帰する（Ｓ２０１）。なお、「貸出し」キーの1回の操作では、単位金額分（例えば、５００円分）の遊技媒体が貸し出されるようになされている。
【００８８】
一方、貸出可能残高が０でなければ、遊技媒体の貸出制御を行うと共に、キーの操作回数パラメータを「１」に設定し、今回の貸出し後の貸出可能残高が０になったか否かを判別する（Ｓ２０２、Ｓ２０３）。貸出可能残高が０になると、後述するステップＳ２０８に移行する。
【００８９】
今回の貸出しによっても貸出可能残高が残っていると、一連の投資動作と判別できる所定時間（例えば１分）を計時するタイマ（制御部４１内に設けられている）の計時を開始させる（Ｓ２０４）。そして、タイムアップする前に、「貸出し」キーが再び操作されたか否かを判別する（Ｓ２０５、Ｓ２０６）。例えば、「貸出し」キー操作後、１分以内に「貸出し」キーが再び操作されることを、１回の投資動作での操作と見なすことにし、そのため、所定時間内の操作を監視することとした。
【００９０】
タイムアップする前に「貸出し」キーが再び操作された場合には、キーの操作回数パラメータを１インクリメントして、上述したステップＳ２０３に戻る（Ｓ２０７）。従って、前回の「貸出し」キーの操作から１分以内に「貸出し」キーが再び操作されることは、その繰り返す回数に関係なく、１回の投資動作での操作として操作回数パラメータが１インクリメントされる。
【００９１】
遊技媒体の貸出しによって貸出可能残高が０になった場合や、タイマの計時がタイムアップした場合には、操作回数パラメータの値を投資額に変更して一連の処理を終了する（Ｓ２０８）。例えば、操作回数パラメータが「３」で、「貸出し」キーの１回の操作で遊技媒体を貸し出す単位金額分が「５００円」であれば、１回の投資額は「１５００円」に決定される。
【００９２】
このようにして得た１回の投資額の情報が、遊技場管理装置２に与えられて、１回の投資額の分布や総投資額の項目の更新などに利用される。
【００９３】
第２の実施形態の場合、会員カードを取り扱うため、遊技場管理装置２の情報保存部１３には会員情報保存部（図示していないが、遊技情報保存部１３ａと区別するため符号１３ｂを用いる）も設けられている。
【００９４】
会員情報保存部１３ｂは、図１４に示すように、会員カードに記述されている会員ＩＤを識別情報として管理されているものであり、氏名、住所などの書誌的情報、貯玉数（貯コイン数）や前払い金額などの遊技媒体に変換可能な金銭的な情報、現時点の遊技機３を特定する台番号、当日の履歴情報（図４の履歴情報と同様）、所定期間内の過去の履歴情報（過去の来店日時、過去の来店日毎の投資額、過去の来店回数、過去に遊技した台番号や機種名に関する情報、過去の遊技機への投入金額の合計、過去の大当たり日時や回数、過去のトータルゲーム数）などである。
【００９５】
第２の実施形態の場合、会員情報保存部１３ｂの一部項目も、遊技媒体台間貸出機４からの遊技情報の要求に対し、返信対象の項目となっている。例えば、過去の来店日毎の投資額（投資額の分布情報の一種）や、過去の遊技機への投入金額の合計は、遊技者に提供可能な表示項目となっている。図１５は、過去の来店日毎の投資額の表示イメージを示しており、日付順にグラフ化して示している。
【００９６】
このような表示項目の情報を表示させる動作は、第１の実施形態とほぼ同様であるので、その説明は省略する。なお、会員情報は、会員遊技者のプライベートに属する部分もあるので、会員が自己の情報だけを見られるように制約を与えても良い。例えば、そのような項目については、会員カードが装着されている遊技媒体台間貸出機４から、自台を要求先とする遊技情報の要求時にのみ、要求を受け入れるようにしても良い。
【００９７】
第２の実施形態によっても、第１の実施形態と同様な効果を奏することができる。第２の実施形態によれば、現金（紙幣又は硬貨）を取り扱わない遊技媒体台間貸出機４においても、１回の投資額の情報を必要とする項目の情報を形成させることができる。また、会員遊技者についても各種の投資額情報を提示することができる。
【００９８】
（Ｃ）他の実施形態
上記各実施形態では、遊技者が遊技情報を表示させる装置として遊技媒体台間貸出機を遊技関連装置の例として挙げたが、遊技媒体台間貸出機に限定されず、遊技場内に設置されており、少なくとも表示部及び操作部が搭載されているものであれば広く適用できる。
【００９９】
遊技媒体台間貸出機に本発明を適用する場合においても、現金及びカードの双方を取り扱うことができるものであっても良く、現金も紙幣だけを扱うものであっても良い。また、残金の返却機能を備えない遊技媒体台間貸出機にも本発明を適用することができる。
【０１００】
また、上記各実施形態では、遊技情報を表示出力するものを示したが、これに代え、又は、これに加え、印刷出力又は音声出力するものであっても良い。
【０１０１】
上記第２の実施形態においては、遊技場管理装置が、遊技情報及び会員情報を管理するものを示したが、これら遊技情報及び会員情報を、別個の装置が管理するようにしても良い。また、各装置が管理する情報は同じであるが、分散的に管理するようにしても良い。
【０１０２】
第２の実施形態の変形実施形態としては、会員遊技者毎に、過去の投資額の一情報として、金種別枚数を管理し、表示可能な項目とすることができる。
【図面の簡単な説明】
【０１０３】
【図１】第１の実施形態の遊技システムの全体構成を示すブロック図である。
【図２】第１の実施形態の遊技機と遊技媒体台間貸出機との設置関係のイメージ図である。
【図３】第１の実施形態の遊技場管理装置の内部構成を示すブロック図である。
【図４】第１の実施形態の履歴情報の説明図である。
【図５】第１の実施形態の現状情報の説明図である。
【図６】第１の実施形態のスランプグラフ情報の説明図である。
【図７】第１の実施形態の遊技媒体台間貸出機の概略正面図である。
【図８】第１の実施形態の遊技媒体台間貸出機の内部構成を示すブロック図である。
【図９】第１の実施形態の遊技情報の読出し動作を示すシーケンス図である。
【図１０】第１の実施形態の表示させる遊技情報の選択用画面の説明図である。
【図１１】第１の実施形態の金種別枚数の表示例を示す説明図である。
【図１２】第２の実施形態の遊技媒体台間貸出機４の内部構成を示すブロック図である。
【図１３】第２の実施形態の１回の投資額の把握動作を示すフローチャートである。
【図１４】第２の実施形態の来店日毎の投資額の表示例を示す説明図である。
【符号の説明】
【０１０４】
１…遊技システム、２…遊技場管理装置、３（３−１〜３−Ｎ）…遊技機、４（４−１〜４−Ｎ）…遊技媒体貸出機、１３…情報保存部、１３ａ…遊技情報保存部。
【図１】
2006271456.tif 000003
【図２】
2006271456.tif 000004
【図３】
2006271456.tif 000005
【図４】
2006271456.tif 000006
【図５】
2006271456.tif 000007
【図６】
2006271456.tif 000008
【図７】
2006271456.tif 000009
【図８】
2006271456.tif 000010
【図９】
2006271456.tif 000011
【図１０】
2006271456.tif 000012
【図１１】
2006271456.tif 000013
【図１２】
2006271456.tif 000014
【図１３】
2006271456.tif 000015
【図１４】
2006271456.tif 000016